(57)【特許請求の範囲】
【請求項１】
レンズを有する可動鏡筒と、
前記可動鏡筒を前記レンズの光軸方向に移動させる駆動機構と、
前記可動鏡筒と前記駆動機構とを収納する四角形状の固定ホルダと、
前記可動鏡筒と前記固定ホルダとを連結し、前記可動鏡筒を移動可能に保持する、直線部と曲線部とで形成された蛇行形状を有する複数の弾性部材と、を備え、
前記駆動機構が、前記可動鏡筒に固定された平板状のマグネットと、前記平板状のコイルと対向するように前記固定ホルダに固定され、平板状のコイルが固定されたヨークと、からなる磁気回路を有し、
この磁気回路が、前記固定ホルダの一方の相対向する二辺と平行に配置され、
前記弾性部材の直線部が、前記固定ホルダの他方の相対向する二辺と平行に配置されているとともに、前記複数の弾性部材は、前記可動鏡筒の重心位置を通る前記固定ホルダの同一平面内に配置されていること
を特徴とするレンズ駆動装置。
【請求項２】
レンズ駆動装置と、このレンズ駆動装置によって得られた画像を表示する表示手段とを有するカメラ付き携帯電話であって、
前記レンズ駆動装置は、
レンズを有する可動鏡筒と、
前記可動鏡筒を前記レンズの光軸方向に移動させる駆動機構と、
前記可動鏡筒と前記駆動機構とを収納する四角形状の固定ホルダと、
前記可動鏡筒と前記固定ホルダとを連結し、前記可動鏡筒を移動可能に保持する、直線部と曲線部とで形成された蛇行形状を有する複数の弾性部材と、を備え、
前記駆動機構が、前記可動鏡筒に固定された平板状のマグネットと、前記平板状のコイルと対向するように前記固定ホルダに固定され、平板状のコイルが固定されたヨークと、からなる磁気回路を有し、
この磁気回路が、前記固定ホルダの一方の相対向する二辺と平行に配置され、
前記弾性部材の直線部が、前記固定ホルダの他方の相対向する二辺と平行に配置されているとともに、前記複数の弾性部材は、前記可動鏡筒の重心位置を通る前記固定ホルダの同一平面内に配置されていること
を特徴とするカメラ付き携帯電話。
【発明の詳細な説明】
【技術分野】
【０００１】
本発明は、レンズ駆動装置に係り、特に、レンズをレンズの光軸方向に移動可能なレンズ駆動装置及びこのレンズ駆動装置を用いたカメラ付き携帯電話に関する。
【背景技術】
【０００２】
例えば、レンズ駆動装置を用いたカメラ付き携帯機器として、カメラ付き携帯電話が知られている。このようなカメラ付き携帯電話においては、弾性部材でレンズを内蔵した可動鏡筒を固定ホルダに吊るし、外部から駆動機構を構成する磁気回路のコイルに通電することで推進力を発生させて、可動鏡筒を光軸方向に移動させるという技術が知られている（例えば、特許文献１参照）。
【０００３】
一般に、適当なカメラのフォーカス感度を得るためには、磁気回路によって発生する力の推力定数と、それを抑制する弾性部材のバネ定数の相互バランスが重要となる。つまり、磁気回路の推力定数が高ければ、バネ定数を高くして、即ちバネを硬くしてバランスをとり、磁気回路の推力定数が低ければ、バネ定数を低く、即ちバネを柔らかくしてバランスをとる必要がある。
【０００４】
バネ定数を低くする方法としては、弾性部材のバネの断面積を小さくすることが考えられる。しかし、所定の厚さ以下の断面積を有するバネは、ほとんど使用実績が無く、また、そのようなバネを金型で成型することが難しいという問題がある。
【０００５】
バネ定数を低くする他の方法としては、バネの材料を弾性係数の低い柔らかいものに変更することが考えられる。しかし、一般的にバネの材料として用いられている銅材よりも弾性係数が低く柔らかい材料は、非常に高価なものであり、コストの面からみて使用することは現実的ではない。
【０００６】
そこで、バネ定数を低くする方法として、蛇行形状を有する弾性部材を使用し、バネの有効長を長くすることが知られている。
【０００７】
【特許文献１】特開２００４−３３３９９５号公報
【発明の開示】
【発明が解決しようとする課題】
【０００８】
レンズ駆動装置としては、例えば、ムービングコイル方式を採用するリニア駆動方式の場合は、図６に示すように、固定ホルダ１２０に固定された点対称形状の磁気回路の一部を構成するマグネットヨーク１１５に対して、蛇行形状を有する弾性部材１１９を介して、可動鏡筒１１０及びヨーク１１５の内側に存在するコイルを固定ホルダに吊り、外部から弾性部材１１９を通してコイルに通電させることで、可動鏡筒１１０を光軸方向に駆動する方式が考えられる。
【０００９】
しかし、このようなレンズ駆動装置１０１は、固定ホルダ１２０内において、光軸方向と垂直な平面方向に、点対称形状の磁気回路及び外側へ延びる弾性部材を配置するための空間が必要となるため、レンズ駆動装置の小型化が困難という問題が生じる。
【００１０】
本発明は、上述の点を考慮し、フォーカス感度が高く小型にできるレンズ駆動装置及びカメラ付き携帯電話を提供するものである。
【課題を解決するための手段】
【００１１】
本発明に係るレンズ駆動装置は、レンズを有する可動鏡筒と、前記可動鏡筒を前記レンズの光軸方向に移動させる駆動機構と、前記可動鏡筒と前記駆動機構とを収納する四角形状の固定ホルダと、前記可動鏡筒と前記固定ホルダとを連結し、前記可動鏡筒を移動可能に保持する、直線部と曲線部とで形成された蛇行形状を有する弾性部材と、を備えたレンズ駆動装置であって、前記駆動機構が、コイルと、ヨークと、マグネットとからなる磁気回路を有し、この磁気回路が、前記固定ホルダの一方の相対向する二辺と平行に配置されている構成とする。
【００１２】
また、本発明に係るレンズ駆動装置の前記弾性部材の直線部が、前記固定ホルダの他方の相対向する二辺と平行に配置されている構成とする。
【００１３】
好ましくは、本発明に係るレンズ駆動装置の前記弾性部材は、前記固定ホルダの同一平面内に配置されている構成とする。
【００１４】
本発明のレンズ駆動装置では、磁気回路を構成する部材を互いに平行に配置するので、レンズ駆動装置を小型にすることができる。
【００１５】
本発明に係るカメラ付き携帯電話は、レンズ駆動装置と、このレンズ駆動装置によって得られた画像を表示する表示手段とを有するカメラ付き携帯電話であって、前記レンズ駆動装置は、レンズを保持する可動鏡筒と、前記可動鏡筒を前記レンズの光軸方向に移動させる駆動機構と、前記可動鏡筒と前記駆動機構とを収納する四角形状の固定ホルダと、前記可動鏡筒と前記固定ホルダとを連結し、前記可動鏡筒を移動可能に保持する、直線部と曲線部とで形成された蛇行形状を有する弾性部材と、を備えたレンズ駆動装置であって、前記駆動機構が、コイルと、ヨークと、マグネットとからなる磁気回路を有し、この磁気回路が、前記固定ホルダの一方の相対向する二辺と平行に配置されている構成とする。
【００１６】
本発明のカメラ付き携帯電話では、レンズ駆動装置を小型にしたので、そのレンズ駆動装置を用いたカメラ付き携帯電話を小型にすることができる。
【発明の効果】
【００１７】
本発明に係るレンズ駆動装置によれば、小型のレンズ駆動装置とすることができる。
【００１８】
本発明に係るカメラ付き携帯電話によれば、小型のカメラ付き携帯電話とすることができる。
【発明を実施するための最良の形態】
【００１９】
以下、本発明に係るレンズ駆動装置及びカメラ付き携帯電話を実施するための最良の形態の例について、図面を参照して説明するが、本発明は以下の例に限定されるものではない。
【００２０】
図１は、本発明の実施の形態例に係るレンズ駆動装置の平面図である。
図１に示すように、本例に係るレンズ駆動装置１は、レンズ１２を有する可動鏡筒１０と、駆動用のコイル１４とヨーク１５と駆動用のマグネット１８とを有する駆動機構と、弾性部材１９と、固定ホルダ２０とから構成されている。
【００２１】
可動鏡筒１０は、有底筒状形状を有しており、レンズを保持するための円筒部１０ａと、レンズ１２から光を出射させるための出射孔３６を有する底部１０ｂとで構成されている。また、可動鏡筒１０の内部には、複数枚のレンズ１２が配置されている。
【００２２】
円筒部１０ａの外周の一部には、平板状のマグネット１８を取り付けるための平坦部１１が形成されている。円筒部１０ａには、２箇所の平坦部１１が、レンズ１２を中心として対称な位置に配置されるように形成されている。
【００２３】
平板状のマグネット１８は、接着剤により、円筒部１０ａの平坦部１１に固定されている。すなわち、可動鏡筒１０には、平板状のマグネット１８が２極着磁されている。
【００２４】
固定ホルダ２０は、４箇所の隅部を有する四角形状で構成されており、具体的には、略正方形状の底部と、底部に沿った周壁部とからなり、その内部に、可動鏡筒１０、コイル１４、ヨーク１５、マグネット１８、弾性部材１９とが収納される。
【００２５】
固定ホルダ２０の周壁部の内周には、可動鏡筒１０に固定された平板状のマグネット１８に対向する位置に、切欠き部２０ａが形成されており、その切欠き部２０ａに、平板状に形成されたヨーク１５が接着剤によって固定されている。
【００２６】
固定ホルダ２０に固定されたヨーク１５には、可動鏡筒１０に固定された平板状のマグネット１８に対向するように、平板状のコイル１４が、接着剤により固定されている。
【００２７】
すなわち、本例のレンズ駆動装置１においては、一方向に並列して配置されたマグネット１８、コイル１４、ヨーク１５によって、駆動機構の一部を構成する磁気回路が構成されている。具体的には、二組のヨーク１５、コイル１４、マグネット１８が、固定ホルダ２０の相対向する二組の辺のうち、一方の組の辺と平行になるように配置されている。なお、本例では、磁気回路を構成する二組のヨーク１５、コイル１４、マグネット１８が、レンズ１２を中心に対称の位置に配置されているが、レンズの片側の位置に一組のヨーク１５、コイル１４、マグネット１５を配置するようにしてもよい。
【００２８】
可動鏡筒１０の円筒部１０ａの外周と固定ホルダ２０の内周との間には、可動鏡筒１０を光軸方向に対して移動可能に保持する２枚の弾性部材１９が配置されている。これらの弾性部材１９は、レンズ１２を挟んで対称の位置に配置されている。
【００２９】
図２は、本発明の実施の形態例に係るレンズ駆動装置に用いられる弾性部材の平面図である。
図２に示すように、弾性部材１９は、可動円筒１０と結合するために円筒部１０ａの外周の形状に合わせるように形成された円弧状の固定部１９ｃと、その固定部１９ｃから延びる複数の腕部１９Ａとからなる。腕部１９Ａは、蛇行形状を有しており、複数の直線部１９ａと曲線部１９ｂとから構成されている。腕部１９Ａの複数の直線部１９ａは、互いに平行となるように構成されている。また、腕部１９Ａの先端には、固定ホルダ２０と結合するための固定部１９ｄが形成されている。
【００３０】
なお、必要に応じて、弾性部材１９の厚みを増すことで弾性部材のばね定数を上げることにより、可動鏡筒１０の共振周波数をそれほど変化させることなく、可動鏡筒１０の移動の動作を安定させることができる。
【００３１】
再び、図1を用いて、固定ホルダ２０内における弾性部材１９の配置について説明する。
弾性部材の固定部１９ｃは、円筒部１０ａの外周のうち、マグネット１８が取り付けられている以外の部分に対して、接着剤等により固定されている。また、弾性部材の固定部１９ｄは、固定ホルダ２０の隅部の近傍に接着剤によって固定されている。このようにして、２個の弾性部材１９が、レンズ１２を挟んで対称となるように、固定ホルダ２０内に配置されている。
【００３２】
すなわち、固定ホルダ２０内の円筒部１０と固定ホルダ２０との間にできる空間に、弾性部材の腕部１９Ａが配置されている。また、腕部１９Ａの直線部１９ａは、固定ホルダ２０の辺の相対向する二組のうち、ヨーク１５が固定されている辺以外の相対向する辺と、平行になるように配置されている。
【００３３】
このように、本例のレンズ駆動装置１によれば、磁気回路を構成するマグネット１８、ヨーク１５、コイル１４を、固定ホルダ２０の相対向する辺の一組と平行となるように配置するので、固定ホルダ２０内における磁気回路の配置スペースを小さくすることができ、レンズ駆動装置１を小型にすることができる。さらに、本例のレンズ駆動装置１によれば、弾性部材１９の直線部１９ａを、固定ホルダ２０の相対向する辺の他の一組と平行になるように配置するので、固定ホルダ２０内における弾性部材１９の配置スペースを小さくすることができ、レンズ駆動装置１を小型にすることができる。
【００３４】
図３は、本発明の実施の形態例に係るレンズ駆動装置を図１に示したＡ-Ａ’線で切断した際の断面図である。
図３に示すように、レンズ駆動装置１は、主に、図中に矢印で示されたレンズ１２の光軸方向Ｆに沿って移動する可動鏡筒１０と、可動鏡筒１０を移動させる駆動機構を構成する磁気回路を構成するコイル１４、ヨーク１５、マグネット１８と、これらの部材を収納する固定ホルダ２０とから構成されている。
【００３５】
可動鏡筒１０の内部には、円筒部１０ａに保持されたレンズ１２と、スペーサとしての中間部材２８が配置されている。
【００３６】
レンズ１２は、カメラの撮影レンズで、複数枚のレンズ部材が組み合わせられることによって構成されている。図３の上側が被写体側レンズ部材１２ａで、下側がボディ側レンズ部材１２ｂである。なお、本例のレンズ駆動装置１では、可動鏡筒１０が、レンズ１２と、樹脂製の鏡筒部１０ａと、中間部材２８という複数の部材から構成されているが、これらの複数の部材または全ての部材を、同一部材で一体に構成するようにしても良い。
【００３７】
被写体側レンズ部材１２ａは、中央にレンズ機能を持つ円形のレンズ部を有し、外周にレンズ部を保持して支えるためのホルダ部（図示せず）を有している。ホルダ部は、中間部材２８に当接している。カメラボディ側レンズ部材１２ｂは、中央にレンズ機能を持つレンズ部を有し、外周にレンズ部を保持して支えるためのホルダ部（図示せず）を有している。また、ボディ側レンズ部材１２ｂのホルダ部も中間部材２８に当接している。
【００３８】
被写体側レンズ部材１２ａおよびボディ側レンズ部材１２ｂのレンズ部は、樹脂製の非球面レンズとされており、ホルダ部とレンズ部は樹脂の一体成型によって形成されている。
【００３９】
中間部材２８は、中央に孔３４を有する円板状部材とされている。この中間部材２８によって被写体側レンズ部材１２ａとボディ側レンズ部材１２ｂの間隔を一定に保持している。
【００４０】
可動鏡筒１０の円筒部１０ａは、有底筒形状をしているが、被写体からの反射光をレンズ１２に取り込むための円形の入射窓３６が底部１０ｂの中央部に形成されている。また、入射窓３６の下方には、被写体側レンズ１２ａ、中間部材２８、ボディ側レンズ１２ｂが、順番に配置されている。
【００４１】
固定ホルダ２０内におけるヨーク１５に取り付けられた駆動用のコイル１４と、この駆動用のコイル１４との間で電磁吸引力または電磁反発力を発生する電磁部材である円筒部１０ａに取り付けられた駆動用のマグネット１８とは、固定ホルダ２０内において、略同じ高さで互いに対向するように配置されている。
【００４２】
弾性部材１９は、図３から明らかなように、固定ホルダ２０内の同一平面内に配置されている。ここで一平面内とは、固定ホルダ２０内において高さが同一の面をいう。また、弾性部材１９は、可動鏡筒１０の重心ｇ位置を通る平面内に配置されている。すなわち、可動鏡筒１０は、重心位置ｇで弾性部材１９によって固定ホルダ２０に吊られている。
【００４３】
なお、レンズ駆動装置１の光軸方向Ｆに沿った後側には、フィルタや撮像素子等を有する図示しない撮像素子ユニットが配置されている。
【００４４】
このように、本例のレンズ駆動装置１によれば、弾性部材１９を可動鏡筒１０の重心付近ｇに配置し、可動鏡筒１０を重心位置ｇで固定ホルダ２０に吊り下げることで、不安定な姿勢でカメラ機能が使用された場合であっても、弾性部材１９が可動鏡筒１０の重心ｇを保持することにより、可動鏡筒１０が、レンズの光軸方向Ｆに対して傾いてしまうことを防止することができる。その結果、不安定な姿勢でカメラ機能が使用された場合であっても、可動鏡筒１０が光軸方向から傾くことがないので、カメラ機能の解像度等の光学的性能の悪化を防止することができる。
【００４５】
さらに、本例のレンズ駆動装置１によれば、可動鏡筒１０を、同一平面に配置された弾性部材１９で保持しているので、固定ホルダ２０内の異なる高さに複数の弾性部材を配置する必要がなく、レンズ駆動装置１を小型、薄型にすることができる。
【００４６】
また、図３に示すように、本例のレンズ駆動装置１においては、固定ホルダ２０に固定されたヨーク１５、コイル１４、マグネット１８の上部に形成される端面とで、略同一の高さとなる面が形成されている。また、可動鏡筒１０の底部１０ｂが、これらのヨーク１５、コイル１４、マグネット１８の上部の端面とで形成される面から突出した状態で、弾性部材１９によって保持されている。即ち、ヨーク１５の上部と、可動鏡筒１０の底部１０ｂとの間には段差が形成されており、その段差の部分には、図に破線で示したような空間Ｓが形成されている。
【００４７】
このように、本例のレンズ駆動装置１によれば、ヨーク１５、マグネット１８の上方に空間Ｓを形成するようにしているので、その空間の分だけレンズ駆動装置１を小さくすることができ、レンズ駆動装置１を小型、薄型にすることができる。
【００４８】
次に、上述したレンズ駆動装置１を携帯機器に搭載した例について説明する。
【００４９】
図４は、本発明に係るレンズ駆動装置が取り付けられたカメラ付き携帯電話端末の斜視図である。図４に示すように、カメラ付き携帯電話端末５０は、操作ボタン（操作部）が配列された下部筐体５１と、カメラによって撮影した画像を表示する部分が裏面に形成された上部筐体５２とからなる。上部筐体５２を下部筺体５１に合致するようにスライド若しくは折り畳むことで、持ち運びに都合のよいコンパクトなサイズにすることができる。カメラ機能を使用して撮影を行う場合には、図４に示すように、下部筺体５１と上部筐体５２をずらした状態で使用する。
【００５０】
カメラ付き携帯電話端末５０の上部筐体５２の背面部には、レンズ駆動装置１を埋設するための穴５２ａが形成されている。レンズ駆動装置１を、可動鏡筒１０の底部１０ｂに形成された入射窓３６が被写体側を向くようにして、その穴５２ａに取り付ける。レンズ駆動装置１を取り付けた後、上面から、例えば、図示しない透明な樹脂製の天面部品を覆うように設置する。
【００５１】
本例のカメラ付き携帯電話端末５０によれば、薄型、小型のレンズ駆動装置１を用いているので、上部筐体５２の厚さを薄くすることができる。その結果、下部筺体５１と上部筐体５２とを合致させた場合に、カメラ付き携帯電話端末の全体の厚さを薄くすることができるので、カメラ付き携帯電話端末５０を小型、薄型にすることができる。
【００５２】
一般に、携帯電話端末を始めとする携帯機器に搭載されるカメラの機能は、コストの面や設計スペースの問題などから、それほど高性能ではないものが多い。例えば通常撮影と固定倍率のズーム撮影やマクロ撮影など、２つの撮影モードの切り換えができるというようなものである。上述したレンズ駆動装置１を搭載した携帯電話端末５０は、小型化、コスト削減を図りつつ、可動鏡筒１０の初期位置と所定位置においてレンズの姿勢を適切に維持した状態で切り換えが可能であり、低機能のカメラが搭載されていれば十分な携帯電話端末などには、本発明に係るレンズ駆動装置は特に有効である。
【００５３】
なお、レンズ駆動装置１が適用される携帯電話端末はこの例に限らず、例えば、表示部と操作部が一体型の携帯電話端末などであってもよいことは勿論である。
【００５４】
図５を参照しながら、このカメラ付き携帯電話端末５０のレンズ駆動装置１を含むカメラ１２０のシステム構成を説明する。
【００５５】
カメラ１２０は、レンズ１２を有する可動鏡筒１０を駆動して撮影モードの切り換え動作を実現するドライバ１２２と、撮像素子１０４から得られる画像信号を処理するＩＳＰ（Image Signal Processor）１２４と、画像データを保存するストレージデバイス１２６と、コントロールロジック部１２８と、電子処理をするための画像を一時保管する単数または複数のメモリ１３０と、光学画像や電子処理された電子画像を表示する表示手段１３２と、これらの各部材を制御するシステムコントローラとしてのＭＰＵ（Micro Processing Unit）１３４を有している。
【００５６】
ここで、カメラ１２０のカメラモジュールは、レンズ１２を有する可動鏡筒１０等からなるレンズ駆動装置１のメカ部分と、撮像素子１０４と、ドライバ１２２と、ＩＳＰ１２４とからなる撮像素子ユニットの信号処理部分から構成される。撮像素子１０４とドライバ１２２とＩＳＰ１２４とは、回路基板（図示略）に設置される。制御部は、コントロールロジック部１２８とＭＰＵ１３４とで構成される。また、画像取得手段が、撮像素子１０４とＩＳＰ１２４と制御部とで構成される。ＭＰＵ１３４は、撮影モード切り換え指令を読み取る切り換え指令読取手段、レンズ１２の操作位置を確認する操作位置確認手段、及びレンズ１２の位置を検出する現在位置検出手段となり、またアクチュエータの負荷を検出する負荷検出手段としても機能する。
【００５７】
ここで、図３に示すレンズ駆動装置１の状態において、図示されない所定の切り換えスイッチが操作されると、弾性部材１９を介して、駆動用のコイル１４に電流が流れる。すると、コイル１４に流れる電流の向きと駆動用のマグネット１８による磁界の向きとによって、フレミングの左手の法則により、可動鏡筒１０に固定した駆動マグネット１８に反力が作用する。これによって、可動鏡筒１０は、弾性部材１９の弾性力によって光軸方向Ｆに移動する。なお、フレミングの左手の法則は、磁界中に線電流が流れているときに、その線電流を流している物体に働く力の関係を示すものである。
【００５８】
また、上述の実施の形態例では、可動鏡筒１０に固定したマグネット１８と、固定ホルダ２０に固定したコイル１４とで駆動機構を構成するいわゆるムービングマグネット方式を採用したが、コイルの位置にマグネットを配置し、マグネットの位置にコイルを配置する、いわゆるムービングコイル駆動方式を採用しても良い。この場合には、コイルが可動鏡筒に固定され、マグネットがヨーク１５に固定されており、フレミングの左手の法則によってコイルに力が作用し、可動鏡筒１０が光軸方向に移動する。
【００５９】
そして、円筒鏡筒１０が所定の高さにまで移動し、円筒鏡筒１０に設けられた係止部材が、カメラ５０に設けられた天面部品に当接すると、ＭＰＵ１３４がアクチュエータにかかる負荷を検出して、ＭＰＵ１３４からドライバ１２２に対し、コイル１４に供給する電流を増加させるための制御信号を出力する。ドライバ１２２は、コイル１４に供給する電流を増加させ、可動鏡筒１０の上面が天面部品に突き当たるまで可動鏡筒１０を移動させる。なお、アクチュエータの負荷を検出して、その負荷に応じてアクチュエータの動作を制御する技術は周知慣用技術であるので、ここでは詳細な説明を省略する。
【００６０】
可動鏡筒１０の上面が天面部品に突き当たると、ＭＰＵ１３４がアクチュエータにかかる負荷を検出して、ＭＰＵ１３４からドライバ１２２に対し、コイル１４に供給する電流を適切な値に制御するよう制御信号を出力する。ドライバ１２２は、コイル１４に供給する電流を制御し、可動鏡筒１０の上面が天面部品に平行に突き当たった状態で可動鏡筒１０を停止させ、レンズ１２の光軸に対する略垂直な姿勢を維持する。
【００６１】
なお、本実施の形態では、レンズ駆動装置１をカメラ付き携帯電話端末５０のカメラ部分の機能として組み込んだ例を示したが、このレンズ駆動装置１は、モバイルコンピュータ、ＰＤＡ（Personal Digital Assistant）、ゲーム機等の他の携帯機器に使用したり、監視カメラ、医療用カメラ等他のカメラ装置や、自動車、テレビジョン受像機等の電子機器にも組み込むことができる。
【００６２】
また、駆動機構は、マグネット１８、ヨーク１５、コイル１４から構成される磁気回路でなくても、圧電素子型など、駆動力を発生するものであれば他の駆動機構であってもよい。
【００６３】
さらに、本発明は、上述した各実施の形態例に限定されるものではなく、その他本発明の要旨を逸脱しない範囲において、種々の変形、変更が可能であることは勿論である。
【図面の簡単な説明】
【００６４】
【図１】図１は、本発明の実施の形態例に係るレンズ駆動装置の平面図である。
【図２】図２は、本発明の実施の形態例に係るレンズ駆動装置に用いられる弾性部材の平面図である。
【図３】図３は、本発明の実施の形態例に係るレンズ駆動装置の断面図である。
【図４】図４は、本発明に係るレンズ駆動装置を取り付けた際のカメラ付き携帯電話の斜視図である。
【図５】図５は、本発明の実施の形態に係るレンズ駆動装置を含むカメラのシステム構成を示す模式図である。
【図６】図６は、従来のレンズ駆動装置の平面図である。
【符号の説明】
【００６５】
１・・レンズ駆動装置、１０・・可動鏡筒、１２・・ レンズ、１４・・駆動用コイル、１５・・ヨーク、１８・・ 駆動用マグネット、１９・・弾性部材、２０・・固定ホルダ、２８・・中間部材、３４・・孔、３６・・入射窓、５０・・カメラ付き携帯電話、Ｆ・・光軸方向、Ｓ・・空間、ｇ・・可動鏡筒重心
【図１】
0004802605.tif 000002
【図２】
0004802605.tif 000003
【図３】
0004802605.tif 000004
【図４】
0004802605.tif 000005
【図５】
0004802605.tif 000006
【図６】
0004802605.tif 000007